(57)【要約】      （修正有）【課題】冷房機能と暖房機能とを有し、安全性が確保できると共にメンテナンスが簡易で製作費も安価である保温・冷毛布を提供する。【解決手段】保温・冷毛布は二重布製にした寝具毛布１００であって、二重布内に供給口２０１と排気口２０２を有する空気パイプ２００を配置し、空気パイプの供給口に温風・冷風供給装置３００を接続すると共に排気口を開放又は温風・冷風供給装置に循環可能に接続し、温風・冷風供給装置は、温風供給器と、冷風供給器と、これら温風供給器と冷風供給器に送風する送風機と、送風機から温風供給器と冷風供給器への送風の切り替え手段と、温風供給器又は冷風供給器から前記空気パイプへの温風・冷風の切り替え手段とを備えてなり、温風供給器は加温材を収容した金属製加温交換室を設け、冷風供給装置は保冷材を収容する金属製冷熱交換室を設けた。【選択図】図１
0003230523.tif 000002
【実用新案登録請求の範囲】
【請求項１】
二重布製にした寝具毛布であって、二重布内に供給口と排気口を有する空気パイプを配置し、前記空気パイプの供給口に温風・冷風供給装置を接続すると共に排気口を開放又は温風・冷風供給装置に循環可能に接続し、前記温風・冷風供給装置は、温風供給器と、冷風供給器と、これら温風供給器と冷風供給器に送風する送風機と、送風機から温風供給器と冷風供給器への送風の切り替え手段と、温風供給器又は冷風供給器から前記空気パイプへの温風・冷風の切り替え手段とを備えてなることを特徴とする保温・冷毛布。
【請求項２】
前記温風供給器は加温材を内装した金属製加温交換室を設け、前記冷風供給器は保冷材を出し入れ可能に収容する金属製冷熱交換室を設けたことを特徴とする請求項１に記載の保温・冷毛布。
【考案の詳細な説明】
【技術分野】
【０００１】  本考案は、夏に涼しく、冬に暖かい安全格安な保温・冷毛布に関する。
【背景技術】
【０００２】  睡眠中の人体に対して冬などの寒い時期に温熱を付与して暖房し、この暖房の温熱によって結構循環を促進してその代謝の改善を実現することにより安眠を促し、また腰痛、肩こり、関節痛、神経痛、リュウマチ等の慢性疼痛を除去ないし緩和させる機能と夏などの暑い時期に冷熱を付与して冷房し、この冷房の冷熱により安定した代謝の改善を実現することにより安眠を促し、熱中症を防止する等の機能の両方を備えた保温・冷毛布は現在存在しない。
単独でも単なる暖房用の保温毛布は数多（あまた）存在する。しかし冷熱を付与した毛布は存在しない。
毛布の内部に被覆を施したしなやかな電熱線が埋め込まれてあり、これに電気を流すことで発生する電熱（ジュール熱）を加温に利用している。毛布はポリエステルやアクリル繊維などを生地とし、その一面が加温されるように電熱線の配線が工夫してある。電源としては一般的なコンセントからの商用電源を利用し、電気毛布に至るコードの中間には温度を設定・調節するコントローラーが設けられている。毛布温度をサーミスタで検出し、適切な温度に保つとともに、異常な過熱を未然に防止している。しかしこの保温毛布は折り畳み頻度が高く、電熱線自体の劣化損傷が早い、また漏電や低温やけどなどの安全上の心配事もある。
【考案の概要】
【考案が解決しようとする課題】
【０００３】  本考案は、このような従来の暖房用の保温毛布の有する問題点を解決すると共に暖房機能及び冷房機能を有していながらメンテナンスが極めて簡易で且つ安価で安全でシンプルな構成の保温・冷毛布を提供する。
【課題を解決するための手段】
【０００４】  上記課題を満足させる本考案における主な技術構成は、次の（１）〜（２）の通りである。
（１）、二重布製にした寝具毛布であって、二重布内に供給口と排気口を有する空気パイプを配置し、前記空気パイプの供給口に温風・冷風供給装置を接続すると共に排気口を開放又は温風・冷風供給装置に循環可能に接続し、前記温風・冷風供給装置は、温風供給器と、冷風供給器と、これら温風供給器と冷風供給器に送風する送風機と、送風機から温風供給器と冷風供給器への送風の切り替え手段と、温風供給器又は冷風供給器から前記空気パイプへの温風・冷風の切り替え手段とを備えてなることを特徴とする保温・冷毛布。
（２）、前記温風供給器は加温材を収容した金属製加温交換室を設け、前記冷風供給器は保冷材を出し入れ可能に収容する金属製冷熱交換室を設けたことを特徴とする前記（１）に記載の保温・冷毛布。
【考案の効果】
【０００５】  本考案の保温・冷毛布は、前記構成により、折り畳みが簡単であり損傷劣化がない。また冷・熱媒体を空気による冷房機能と暖房機能とを有するため安全性が抜群であると共にメンテナンスが極めて簡易である。また製作費も安価であるなど極め優れた作用効果を呈する保温・冷毛布である。
【図面の簡単な説明】
【０００６】
【図１】本考案の実施例を示す全体平面全体図説明図である。
【図２−１】温風・冷風供給装置の温風供給状態を示す概略説明図である。
【図２−２】温風・冷風供給装置の冷風供給状態を示す概略説明図である。
【考案を実施するための形態】
【０００７】  本考案を実施するための形態を図１、図２−１、図２−２に示す実施例により詳細に説明する。
図１、図２−１、図２−２において、本例の二重布製にした寝具毛布１００は、ポリエステルやアクリル繊維などを生地とした二重布１００−１，１００−２としてあり、この二重布内に供給口２０１と排気口２０２を有する空気パイプ２００（内径４ｍｍ）を配置する。
空気パイプ２００は、軟質ポリエチレンチューブ、軟質ポリエチレンチューブ、ビニール製、等の柔軟性で可撓性のある折り畳みに強い且つ熱伝導性のよいパイプを用いることが好ましい。
前記空気パイプ２００は、供給口２０１を温風・冷風供給装置３００の排気口３０１を接続すると共に排気口２０２を開放又は温風・冷風供給装置３００の吸気口３０２に循環可能に接続する。
前記温風・冷風供給装置３００は、温風供給器４００と、冷風供給器５０１と送風機６０１と、送風機から温風供給器と冷風供給器への送風の切り替え手段７０２と、温風供給器又は冷風供給器から前記空気パイプへの温風・冷風の切り替え手段７０１を備える。
【０００８】  前記温風供給器４００は、二重室構造となっており内側の一重室の内部に加温材４０１を有する金属製加温交換室４０２にしてある。
前記金属製加温交換室４０２は、銅製、アルミニウム製等の熱伝導率の高い金属壁として収容した前記加温材４０１から抜熱する。外側の二重室４０３は金属製加温交換室４０２の金属壁と外壁の保温材壁４０４により形成して通過する空気に伝熱すると共に温熱を逃がさないようにしてある。
前記加温材４０１は、カイロ、湯たんぽ、行火、電気行火、温熱ゲルパットまたはホットパック、被覆を施したしなやかな電熱線コイルなどが好ましい。本例の加温材４０１は電源８００に接続し被覆を施したしなやかな電熱線コイルを採用してある。
保温材壁４０４は、パルプ材、発泡スツロール樹脂等の合成樹脂製発泡体、遠赤外線放射体或いはこれらと金属箔との積層材又はこれらに金属を蒸着した金属蒸着体から選ばれる少なくとも１種以上を言う。
【０００９】  前記冷風供給器５０１は、内部の保冷材５０２を出し入れ可能に収容する金属製冷熱交換室５０３を設けてなる。
前記保冷材５０２は、少量の「高吸収性ポリマー」に水を含ませて水をジェル状にしている「エチレングリコールレス保冷材でビニール製の袋に入ったソフトタイプと、プラスチックの容器に入ったハードタイプの何れでも良いが、前記金属製冷熱交換室５０３に設けた図示していない開閉扉から出し入れ交換が可能なタイプにすればよい。
前記金属製冷熱交換室５０３は、内部の保冷材５０２を収容する内壁部５０４を銅製、アルミニウム製等の熱伝導率の高い金属とし、空気の通る外壁５０５は令熱を逃がさない保温材にすることが好ましい。
外壁５０５の前記保温材は、前記前記金属製加温交換室４０２の内壁部材と同様にパルプ材、発泡スツロール樹脂等の合成樹脂製発泡体、遠赤外線放射体或いはこれらと金属箔との積層材又はこれらに金属を蒸着した金属蒸着体から選ばれる少なくとも１種以上を言う。
【００１０】  送風機６０１は、小型モータで作動する扇風機やバタフライ弁でポンプ作動するエアーポンプなどが好ましい。本例は電源８００に接続しリモートコントロール８００で操作される電動ＯＮ／ＯＦＦスイッチを介して接続し、バタフライ弁をポンプ作動させる軽量小型のエアーポンプにしてある。
前記温風供給器４０１と冷風供給器５０１の切り替え手段７０１，７０２の電動式三方弁であり、リモートコントロール８００により切り替え作動制御される。リモートコントロール８００は他に送風機６０１の稼働との加温材４０１である電熱線コイルを切り替える電動ＯＮ／ＯＦＦスイッチ郡とを有する。
図２−１はリモートコントロール８００で温風・冷風供給装置の温風供給状態に切り替えた状態を示す概略説明図であり、図２−２は、リモートコントロール８００で温風・冷風供給装置の冷風供給状態に切り替えた状態を示す概略説明図である。
【００１１】  以上により本例の保温・冷毛布１００は、可撓性のある柔軟な材質の空気パイプ２００を配設してあるので折り畳み頻度が高くても損傷劣化が無くメンテナンスフリーである。
そして冷・熱媒体を空気による冷房機能と暖房機能とを有するため低温やけどの無く安全性が抜群であると共に製作費も安価であるなど極めて優れた作用効果を呈する保温・冷毛布であることを検証した。
【産業上の利用可能性】
【００１２】  本考案の保温・冷毛布は、前述の優れた作用効果を呈して一般家庭では勿論、寝具産業に寄与と発展に貢献すること多大なものがある。
【符号の説明】
【００１３】１００：二重布製にした寝具毛布
１００−１，１００−２：二重布
２００：空気パイプ
２０１：供給口
２０２：排気口
３００：温風・冷風供給切換装置
４００：温風供給器
４０１：加温材
４０２：金属製加温交換室
４０３：二重室
４０４：保温材壁
５０１：冷風供給器
５０２：保冷材
５０３：金属製冷熱交換室
５０４：内壁部
５０５：外壁
６０１：送風機
７０１、７０２；切り替え手段の電動式三方弁
８００：リモートコントローラー
【図１】
0003230523.tif 000003
【図２−１】
0003230523.tif 000004
【図２−２】
0003230523.tif 000005